(57)【要約】【課題】本発明は、地球環境負荷が小さく、かつ、特殊な装置を使用することなく異方性エッチングが可能で、良好な加工形状が得られるドライエッチング剤、及びそれを用いたドライエッチング方法を提供することを目的とする。【解決手段】本発明は、少なくとも、化学式ＣＦ３−ＣｘＨｙＦｚＯ（ｘ＝２または３、ｙ＝１，２，３，４または５、ｚ＝２ｘ−１−ｙ）で表され、酸素原子を含む三員環構造を有するハイドロフルオロアルキレンオキサイドを含むドライエッチング剤である。また、このドライエッチング剤をプラズマ化して得られるプラズマガスを用いて、二酸化シリコン、窒化シリコン、多結晶シリコン、アモルファスシリコン、及び炭化シリコンからなる群より選ばれる少なくとも１種のシリコン系材料を選択的にエッチングするドライエッチング方法である。【選択図】図１
2018141146.tif 000002
【特許請求の範囲】
【請求項１】
少なくとも、化学式ＣＦ３−ＣｘＨｙＦｚＯ（ｘ＝２または３、ｙ＝１，２，３，４または５、ｚ＝２ｘ−１−ｙ）で表され、酸素原子を含む三員環構造を有するハイドロフルオロアルキレンオキサイドを含むドライエッチング剤。
【請求項２】
さらに、不活性ガスを含む請求項１に記載のドライエッチング剤。
【請求項３】
さらに、添加ガス、及び不活性ガスを含む請求項１に記載のドライエッチング剤。
【請求項４】
添加ガスが酸化性ガス、又は還元性ガスである、請求項３に記載のドライエッチング剤。
【請求項５】
前記酸化性ガスが、含酸素ガス及び含ハロゲンガスからなる群から選ばれる少なくとも１種のガスであり、
前記含酸素ガスが、Ｏ２、Ｏ３、ＣＯ、ＣＯ２、ＣＯＣｌ２、ＣＯＦ２、ＣＦ３ＯＦ、及びＮＯ２からなる群から選ばれる少なくとも１種のガスであり、
前記含ハロゲンガスが、Ｆ２、ＮＦ３、Ｃｌ２、Ｂｒ２、Ｉ２、ＣＦＣｌ３、ＣＦ２Ｃｌ２、ＣＦ３Ｃｌ、及びＹＦｎ（式中、ＹはＣｌ、Ｂｒ、又はＩを表し、ｎは整数を表し、１≦ｎ≦７である。）からなる群から選ばれる少なくとも１種のガスであり、
前記還元性ガスが、ＣＨ４、Ｃ２Ｈ２、Ｃ２Ｈ４、Ｃ２Ｈ６、Ｃ３Ｈ４、Ｃ３Ｈ６、Ｃ３Ｈ８、ＨＦ、ＨＩ、ＨＢｒ、ＨＣｌ、ＮＯ、ＮＨ３、及びＨ２からなる群より選ばれる少なくとも１種のガスである、請求項４に記載のドライエッチング剤。
【請求項６】
前記不活性ガスがＮ２、Ｈｅ、Ａｒ、Ｎｅ、及びＫｒからなる群より選ばれる少なくとも１種のガスである、請求項２〜５のいずれか１項に記載のドライエッチング剤。
【請求項７】
前記ハイドロフルオロアルキレンオキサイドの含有率が、１〜６０体積％である請求項１〜６のいずれか１項に記載のドライエッチング剤。
【請求項８】
ＣＦ４、ＣＦ３Ｈ、ＣＦ２Ｈ２、ＣＦＨ３、Ｃ２Ｆ６、Ｃ２Ｆ４Ｈ２、Ｃ２Ｆ５Ｈ、Ｃ３Ｆ８、Ｃ３Ｆ７Ｈ、Ｃ３Ｆ６Ｈ２、Ｃ３Ｆ５Ｈ３、Ｃ３Ｆ４Ｈ４、Ｃ３Ｆ３Ｈ５、Ｃ３Ｆ５Ｈ、Ｃ３Ｆ３Ｈ、Ｃ４Ｆ８、Ｃ４Ｆ６、Ｃ５Ｆ８、Ｃ５Ｆ１０、Ｃ３Ｆ６、Ｃ３ＨＦ５、Ｃ３Ｈ２Ｆ４、Ｃ３Ｈ３Ｆ３、ＣＦ３Ｉ、ＣＦ２Ｉ２、及びＣＦＩ３からなる群より選ばれる少なくとも１種のガスをさらに含む、請求項１〜７のいずれか１項に記載のドライエッチング剤。
【請求項９】
前記ハイドロフルオロアルキレンオキサイドが、１，３，３，３−テトラフルオロプロピレンオキサイド、２，３，３，３−テトラフルオロプロピレンオキサイド、１，１，３，３，３−ペンタフルオロプロピレンオキサイド、及び、１，２，３，３，３−ペンタフルオロプロピレンオキサイドからなる群から選ばれる少なくとも１種である請求項１〜８のいずれか１項に記載のドライエッチング剤。
【請求項１０】
前記ハイドロフルオロアルキレンオキサイドが１，３，３，３−テトラフルオロプロピレンオキサイドである請求項９に記載のドライエッチング剤。
【請求項１１】
少なくとも、化学式ＣＦ３−ＣｘＨｙＦｚＯ（ｘ＝２または３、ｙ＝１，２，３，４または５、ｚ＝２ｘ−１−ｙ）で表され、酸素原子を含む三員環構造を有するハイドロフルオロアルキレンオキサイドを含むドライエッチング剤をプラズマ化して得られるプラズマガスを用いて、
二酸化シリコン、窒化シリコン、多結晶シリコン、アモルファスシリコン、及び炭化シリコンからなる群より選ばれる少なくとも１種のシリコン系材料を選択的にエッチングするドライエッチング方法。
【請求項１２】
前記ドライエッチング剤は、（Ａ）前記ハイドロフルオロアルキレンオキサイドと、（Ｂ）Ｈ２、Ｏ２、ＣＯ、及びＣＯＦ２からなる群より選ばれる少なくとも１種以上のガスと、Ａｒのみからなり、
（Ａ）、（Ｂ）、及びＡｒの体積流量比をそれぞれ１〜６０％：１〜６０％：５〜９８％（但し、各々のガスの体積流量比の合計は１００％である。）であり、
前記シリコン系材料は、二酸化シリコン及び窒化シリコンからなる群より選ばれる少なくとも１種である請求項１１に記載のドライエッチング方法。
【請求項１３】
前記ハイドロフルオロアルキレンオキサイドが１，３，３，３−テトラフルオロプロピレンオキサイドである請求項１１又は１２に記載のドライエッチング方法。
【請求項１４】
さらに、水素と不活性ガスを含むドライエッチング剤を用いて、二酸化シリコンを選択的にエッチングする請求項１１に記載のドライエッチング方法。
【請求項１５】
基板上に、二酸化シリコン、窒化シリコン、多結晶シリコン、アモルファスシリコン、及び炭化シリコンからなる群より選ばれる少なくとも１種のシリコン系材料膜を形成する工程と、
前記シリコン系材料膜の上に、所定の開口部を有するレジスト膜を形成する工程と、
請求項１１に記載のドライエッチング方法を用いて、前記開口部から前記シリコン系材料膜をエッチングする工程と、
を含むことを特徴とする半導体装置の製造方法。
【発明の詳細な説明】
【技術分野】
【０００１】
本発明は、ハイドロフルオロアルキレンオキサイドを含むドライエッチング剤、及びそれを用いたドライエッチング方法などに関する。
【背景技術】
【０００２】
今日、半導体製造においては、極めて微細な処理技術が求められており、湿式法に代わりドライエッチング法が主流になっている。ドライエッチング法は、真空空間において、プラズマを発生させて、物質表面上に微細なパターンを分子単位で形成させる方法である。
【０００３】
二酸化ケイ素（ＳｉＯ２）等の半導体材料のエッチングにおいては、下地材として用いられるシリコン、ポリシリコン、チッ化ケイ素等に対するＳｉＯ２のエッチング速度を大きくするため、エッチング剤として、ＣＦ４、ＣＨＦ３、Ｃ２Ｆ６、Ｃ３Ｆ８、Ｃ４Ｆ８等のパーフルオロカーボン（ＰＦＣ）類やハイドロフルオロカーボン（ＨＦＣ）類が用いられてきた。
【０００４】
しかしながら、これらのＰＦＣ類やＨＦＣ類は、いずれも大気寿命の長い物質であり、高い地球温暖化係数（ＧＷＰ）を有していることから京都議定書（ＣＯＰ３）において排出規制物質となっている。半導体産業においては、経済性が高く、微細化が可能な低ＧＷＰの代替物質が求められてきた。
【０００５】
そこで、特許文献１には、ＰＦＣ類やＨＦＣ類の代替物質として、４〜７個の炭素原子を有するパーフルオロケトンを含有する反応性ガスをクリーニングガスやエッチングガスとして用いる方法が開示されている。しかしながら、これらのパーフルオロケトンの分解物質には少なからず高ＧＷＰのＰＦＣが含まれることや、沸点が比較的高い物質が含まれることから、必ずしもエッチングガスとして好ましくなかった。
【０００６】
特許文献２には２〜６個の炭素原子を有するハイドロフルオロエーテルをドライエッチングガスとして用いる方法が開示されているが、特許文献１と同様、これらの直鎖のハイドロフルオロエーテルについても総じてＧＷＰが高く、地球環境的には好ましくなかった。
【０００７】
このような背景の下、更なる低ＧＷＰを有し、かつ工業的にも製造が容易な化合物の開発が求められてきており、分子内に二重結合、三重結合を有する不飽和フルオロカーボンを用いてエッチング用途として検討されてきた。これに関連する従来技術として、特許文献３にはＣａＦ２ａ＋１ＯＣＦ＝ＣＦ２を含むエーテル類、ＣＦ３ＣＦ＝ＣＦＨ、ＣＦ３ＣＨ＝ＣＦ２等のフッ素化オレフィン類をＳｉ膜、ＳｉＯ２膜、Ｓｉ３Ｎ４膜、または高融点金属シリサイト膜をエッチングする方法が開示されている。
【０００８】
また、特許文献４には、ヘキサフルオロプロピレンオキサイドなどのパーフルオロ環状エーテル類を必須成分とするガスにより半導体材料をドライエッチングする方法が開示されている。
【先行技術文献】
【特許文献】
【０００９】
【特許文献１】特表２００４−５３６４４８号公報
【特許文献２】特開平１０−１４０１５１号公報
【特許文献３】特開平１０−２２３６１４号公報
【特許文献４】特公平０３−０４３７７６号公報
【特許文献５】特表平５−５００９４５号公報
【特許文献６】特開昭５８−１３４０８６号公報
【００１０】
【非特許文献１】Ｅ．Ｔ．ＭｃＢｅｅ．ｅｔ  ａｌ、Ｊ．Ａｍ．Ｃｈｅｍ．Ｓｏｃ．１９５３，７５，４０９１−４０９２．
【発明の概要】
【発明が解決しようとする課題】
【００１１】
ＰＦＣ類やＨＦＣ類はＧＷＰが高いため規制対象物質であり、それらの代替物質であるパーフルオロケトン類、直鎖状ハイドロフルオロエーテル類、ハイドロフルオロビニルエーテル類やパーフルオロエーテル類は、分解物質に少なからず高ＧＷＰのＰＦＣが含まれることや製造が難しく経済的でないことから、地球環境に対する影響が小さく、かつ必要とされる性能を有するドライエッチング剤の開発が求められている。
【００１２】
エッチング性能については、プラズマエッチングの場合、例えばＣＦ４のガスからＦラジカルを作り、ＳｉＯ２をエッチングすると等方性にエッチングされる。微細加工が要求されるドライエッチングにおいては、等方性よりも異方性エッチングが可能なエッチング剤が望まれている。
【００１３】
本発明は、地球環境負荷が小さく、かつ、特殊な装置を使用することなく異方性エッチングが可能で、良好な加工形状が得られるドライエッチング剤、及びそれを用いたドライエッチング方法を提供することを目的とする。
【課題を解決するための手段】
【００１４】
本発明者らは、鋭意検討を重ねた結果、ドライエッチングにおいて異方性エッチングに好適で、かつ地球環境への影響がより小さい物質としてハイドロフルオロアルキレンオキサイドを見出した。
【００１５】
すなわち、本発明では、ハイドロフルオロアルキレンオキサイドを含むドライエッチング剤を提供する。ドライエッチング剤には、酸化性ガス又は還元性ガス等の添加ガス、及び、不活性ガスを添加することができる。
【発明の効果】
【００１６】
本発明におけるドライエッチング剤に含まれるハイドロフルオロアルキレンオキサイドは、分子内に１個の酸素原子を有し、且つ三員環構造であり分子内歪みを有するため、直鎖のエーテル類に比べて大気中でのＯＨラジカル等による分解性が高く、地球温暖化への寄与もＣＦ４やＣＦ３Ｈ等のＰＦＣ類やＨＦＣ類より格段に低いことから、環境への負荷が軽いという効果を奏す。
【００１７】
また、ハイドロフルオロアルキレンオキサイドは、エッチング性能という観点においても、分子内にＣＦ３の構造を含み、ＣＦ３＋が形成されやすく、さらに分子内水素を有し且つ環状化合物であるため、Ｆ／Ｃ比が低いことから孔や溝の側壁保護に有利であり、そのため異方性エッチングを達成することができる。
【図面の簡単な説明】
【００１８】
【図１】本発明で用いた実験装置の概略図である。
【図２】エッチング処理により得られる、シリコンウェハ上の開口部を示す図である。
【発明を実施するための形態】
【００１９】
以下、本発明におけるドライエッチング剤について詳細に説明する。
【００２０】
本発明のドライエッチング剤は、少なくとも化学式ＣＦ３−ＣｘＨｙＦｚＯ（ｘ＝２または３、ｙ＝１，２，３，４または５、ｚ＝２ｘ−１−ｙ）で表される酸素原子を含む三員環構造を有するハイドロフルオロアルキレンオキサイドを含む。
【００２１】
ハイドロフルオロアルキレンオキサイドの具体的としては、１，３，３，３−テトラフルオロプロピレンオキサイド、２，３，３，３−テトラフルオロプロピレンオキサイド、１，１，３，３，３−ペンタフルオロプロピレンオキサイド、１，２，３，３，３−ペンタフルオロプロピレンオキサイド、１，４，４，４−テトラフルオロブチレンオキサイド、２，４，４，４−テトラフルオロブチレンオキサイド、３，４，４，４−テトラフルオロブチレンオキサイド、１，１，４，４，４−ペンタフルオロブチレンオキサイド、１，２，４，４，４−ペンタフルオロブチレンオキサイド、１，３，４，４，４−ペンタフルオロブチレンオキサイド、２，３，４，４，４−ペンタフルオロブチレンオキサイド、３，３，４，４，４−ペンタフルオロブチレンオキサイド、１，１，２，４，４，４−ヘキサフルオロブチレンオキサイド、１，１，３，４，４，４−ヘキサフルオロブチレンオキサイド、１，２，３，４，４，４−ヘキサフルオロブチレンオキサイド、２，３，３，４，４，４−ヘキサフルオロブチレンオキサイド、１，３，３，４，４，４−ヘキサフルオロブチレンオキサイド、１，１，２，３，４，４，４−ヘプタフルオロブチレンオキサイド、１，１，３，３，４，４，４−ヘプタフルオロブチレンオキサイド、１，２，３，３，４，４，４−ヘプタフルオロブチレンオキサイド、などが挙げられる。なお、これらの化合物にはトランス体とシス体といった立体異性体が存在し、さらに、それぞれに対して鏡像異性体が存在する。しかし、本発明においては、いずれかの異性体もしくは両者の混合物として用いることができる。
【００２２】
本発明において使用するハイドロフルオロアルキレンオキサイドは、ハイドロフルオロオレフィンを酸化する方法などの公知の方法により得ることができる。
例えば、特許文献５には、フッ素化アルキル基を持つエポキシドの合成方法として、フルオロアルキル基を持つ置換オレフィンに対し、次亜フッ素酸（ＨＯＦ）を用いて酸化反応を行うことで、対応するエポキシドを製造できることが開示されているので、この反応を用いて得ることができる。また、特許文献６には、パーフルオロプロペンに対する、次亜塩素酸ナトリウム（ＮａＣｌＯ）を用いた酸化反応が開示されている。この反応を用いてハイドロフルオロアルキレンオキサイドを得ることができる。
ハイドロフルオロオレフィンの酸化以外の方法として、１，３，３，３−テトラフルオロアセト酢酸エチルを出発原料とし、多段階工程の反応を経て、１，３，３，３−テトラフルオロプロペンオキシドを得る方法が、非特許文献１に開示されている。この反応を用いてハイドロフルオロアルキレンオキサイドを得ることができる。
【００２３】
ハイドロフルオロアルキレンオキサイドは、分子内に水素を有し、過剰なＦラジカルをＨＦとして除去するとともに、マスク上に適度に堆積して保護膜として作用する。これにより、被エッチング層に対する選択性が向上する。また、エッチング過程においても被エッチング層に形成されたトレンチやホールの側壁に保護膜として堆積することにより、Ｆラジカルによる等方的エッチングに対し、異方性エッチングの選択性を向上すると考えられる。また、酸素を含む環状構造を有することから、活性種の一部は自らの酸素によってＣＯ２として除去され、過剰な保護膜の堆積によるホールの閉塞などを予防する効果が期待される。
【００２４】
なお、エッチングガスとして用いる場合には、取り扱いの上で適度な蒸気圧を有することが望ましい。そのため、上記化合物の中では比較的蒸気圧の高い、１，３，３，３−テトラフルオロプロピレンオキサイドや２，３，３，３−テトラフルオロプロピレンオキサイド、１，１，３，３，３−ペンタフルオロプロピレンオキサイド、または、１，２，３，３，３−ペンタフルオロプロピレンオキサイドが特に望ましい。
【００２５】
前述したように、１，１，１，２，３−ペンタフルオロプロペン、ヘキサフルオロ−２−ブチン、ヘキサフルオロ−１，３−ブタジエン、ヘキサフルオロプロペン等をエッチングガスとして用いることは既に知られている。これらのフッ素化オレフィン化合物はそれ自身、多くのフッ素原子を持ち、酸化シリコン系材料に対し高いエッチング速度を有することからも、一見好ましい方法である。通常、これらの化合物をエッチングガスとして用いる場合には、ポリマー成分が堆積量をコントロールするため酸素との混合ガスとして使用する。しかしながら、酸素量が適切でないと二重結合もしくは三重結合部位を持つ為ポリマー化の進行が著しく、過剰なポリマー成分が堆積することによって、エッチング装置内を汚染したりマスク上に堆積してエッチング形状に異常をきたしたりすることがあった。一方で、本発明の対象とするハイドロフルオロアルキレンオキサイドは、二重結合又は三重結合を持たないため、ポリマー成分の過剰な生成を抑制することができる。
【００２６】
本発明において使用するハイドロフルオロアルキレンオキサイドは、Ｎ２、Ｈｅ、Ａｒ、Ｎｅ、Ｋｒ等の不活性ガスで希釈しても使用可能である。特にＡｒではハイドロフルオロアルキレンオキサイドとの相乗効果によって、より高いエッチングレートが得られる。不活性ガスの添加量は出力、排気量等の装置の形状、性能や対象膜特性に依存するが、ハイドロフルオロアルキレンオキサイドの流量の１／１０から２０倍が好ましい。
【００２７】
本発明のエッチング剤は、各種ドライエッチング条件下で実施可能であり、対象膜の物性、生産性、微細精度等によって、種々の添加剤を加えることが可能である。
【００２８】
本発明において使用するハイドロフルオロアルキレンオキサイドは、チャンバーに供給するドライエッチング剤中に１〜６０体積％含有させることが好ましい。また、詳細は後述するが、ハイドロフルオロアルキレンオキサイドを１〜６０体積％とし、添加ガス（なお、ここで言う「添加ガス」とは、Ｏ２、Ｆ２等の酸化性ガス、若しくはＨ２、ＣＯ等の還元性ガスを示す。）、及び不活性ガスをそれぞれ後述する体積％の範囲で混合させることが好ましい。
【００２９】
添加ガスを混合することにより飛躍的にプロセスウインドウを広げることができ、特殊な基板の励起操作等なしにサイドエッチ率が小さく高アスペクト比が要求される加工にも対応できる。
【００３０】
生産性を上げるために、エッチング速度を上げたい時は、添加ガスとして酸化性ガスを添加することが好ましい。酸化性ガスとして、具体的には、Ｏ２、Ｏ３、ＣＯ、ＣＯ２、ＣＯＣｌ２、ＣＯＦ２、ＣＦ３ＯＦ、ＮＯ２等の含酸素ガスや、Ｆ２、ＮＦ３、Ｃｌ２、Ｂｒ２、Ｉ２、ＣＦＣｌ３、ＣＦ２Ｃｌ２、ＣＦ３Ｃｌ、ＹＦｎ（Ｙ＝Ｃｌ、Ｂｒ、Ｉ、１≦ｎ≦７）等の含ハロゲンガスが挙げられる。この中でも、金属のエッチング速度を更に加速することができることから、Ｏ２、ＣＯＦ２、Ｆ２、ＮＦ３、Ｃｌ２が好ましく、Ｏ２が特に好ましい。
【００３１】
酸化性ガスの添加量は出力等の装置の形状、性能や対象膜の特性に依存するが、通常、ハイドロフルオロアルキレンオキサイドの流量に対し１／１０から３０倍であり、好ましくは、1／１０から１０倍である。
【００３２】
もし、酸化性ガスを、３０倍を超える量で添加する場合、ハイドロフルオロアルキレンオキサイドの優れた異方性エッチング性能が損なわれることがある。前述した酸化性ガスの流量が１／１０より少ない場合には、ハイドロフルオロアルキレンオキサイドが高分子化した堆積物が著しく増加することがある。
【００３３】
また、等方的なエッチングを促進するＦラジカル量の低減を所望するときは、ＣＨ４、Ｃ２Ｈ２、Ｃ２Ｈ４、Ｃ２Ｈ６、Ｃ３Ｈ４、Ｃ３Ｈ６、Ｃ３Ｈ８、ＨＦ、ＨＩ、ＨＢｒ、ＨＣｌ、ＮＯ、ＮＨ３、Ｈ２に例示される還元性ガスの添加が有効である。
【００３４】
還元性ガスの添加量が多すぎる場合には、エッチングに働くＦラジカルが著しく減量して、生産性が低下することがある。特に、Ｈ２、Ｃ２Ｈ２を添加するとＳｉＯ２のエッチング速度は変化しないのに対して、Ｓｉのエッチング速度は低下し、選択性が上がることから、下地のシリコンに対してＳｉＯ２を選択的にエッチングすることが可能である。
【００３５】
還元性ガスの添加量は出力等の装置の形状、性能や対象膜の特性に依存するが、通常、ハイドロフルオロアルキレンオキサイドの流量に対し１／１００から３倍であり、好ましくは、１／２５から１倍である。
【００３６】
なお、添加ガスについては、１種類、もしくは２種類以上を混合して添加することもでき、当業者が適宜調整することができる。
【００３７】
なお、本発明では、添加ガスと共に、Ｎ２、Ｈｅ、Ａｒ、Ｎｅ、Ｋｒ等の不活性ガスを添加する。
【００３８】
このように、本発明において使用するドライエッチング剤は、ハイドロフルオロアルキレンオキサイドを含むものであるが、当該エッチング剤における好ましい組成を、体積％と共に以下に示す。なお、各ガスの体積％の合計は１００％である。
【００３９】
例えば、ハイドロフルオロアルキレンオキサイド、及び添加ガス、及び、不活性ガスを共存させる場合の体積％は、それぞれ当該オキサイド：添加ガス：不活性ガス＝１〜６０％：１〜６０％：５〜９８％とすることが好ましく、さらに、４〜４０％：４〜４０％：２０〜９２％とすることが特に好ましい。
【００４０】
また、異なる材料の膜が露出する被加工物に対してエッチングをする際に、異なる材料間のエッチング選択比の制御などを目的として、他の含ハロゲンガスを添加することができる。例えば、ＳｉＮ／ＳｉＯ２の選択比の制御や、半導体装置の電極を構成する金属材料と、シリコン系材料との選択比の制御を目的に、ＣＦ４、ＣＦ３Ｈ、ＣＦ２Ｈ２、ＣＦＨ３、Ｃ２Ｆ６、Ｃ２Ｆ４Ｈ２、Ｃ２Ｆ５Ｈ、Ｃ３Ｆ８、Ｃ３Ｆ７Ｈ、Ｃ３Ｆ６Ｈ２、Ｃ３Ｆ５Ｈ３、Ｃ３Ｆ４Ｈ４、Ｃ３Ｆ３Ｈ５、Ｃ３Ｆ５Ｈ、Ｃ３Ｆ３Ｈ、Ｃ３ＣｌＦ３Ｈ、Ｃ４Ｆ８、Ｃ４Ｆ６、Ｃ５Ｆ８、Ｃ５Ｆ１０、Ｃ３Ｆ６、Ｃ３ＨＦ５、Ｃ３Ｈ２Ｆ４、及び、Ｃ３Ｈ３Ｆ３からなる群から選ばれる少なくとも１種のガス）を加えてエッチングすることができる。これらの化合物を添加することによりエッチングガスのＦ／Ｃ比を変動することができ、プラズマ中に含まれる活性種の種類と量を制御し、各膜種のエッチング速度を変化させられる。これらの化合物の添加量は、選択的エッチングを阻害しないようにＦ／Ｃ比を変動することが好ましく、ハイドロフルオロアルキレンオキサイドに対し０．０１〜２体積倍が望ましい。また、エッチング速度の向上などを目的として、ＣＦ３Ｉ、ＣＦ２Ｉ２、ＣＦＩ３等のフッ化ヨウ化メタンを添加できる。
【００４１】
次に、本発明におけるドライエッチング剤を用いたエッチング方法について説明する。
【００４２】
特に、本発明のドライエッチング剤を用いたエッチング方法は、半導体材料に対して有効に適用できる。半導体材料として、シリコン、二酸化シリコン、窒化シリコン、炭化シリコン、酸化フッ化シリコンまたは炭化酸化シリコンのシリコン系材料、を挙げることができる。
【００４３】
また、本発明のドライエッチング剤を用いたエッチング方法は、反応性イオンエッチング（ＲＩＥ）、電子サイクロトロン共鳴（ＥＣＲ）プラズマエッチング、マイクロ波エッチング等の各種エッチング方法、並びに反応条件は特に限定せず用いることができる。本発明で用いるエッチング方法は、エッチング処理装置内で対象とするハイドロフルオロアルキレンオキサイドのプラズマを発生させ、装置内にある対象の被加工物の所定部位に対してエッチングすることにより行う。例えば半導体装置の製造において、シリコンウェハ上にシリコン系材料膜を成膜し、特定の開口部を設けたレジスト膜を上部に塗布し、シリコン系材料膜を除去するようにレジスト膜の開口部をエッチングする。
【００４４】
なお、本発明に係るエッチング方法は、機械要素部品、センサー、アクチュエータ、電子回路を一つのシリコン基板、ガラス基板、有機材料等の上に積層した構造、いわゆる微小電気機械システム（ＭＥＭＳ；Ｍｉｃｒｏ Ｅｌｅｃｔｒｏ Ｍｅｃｈａｎｉｃａｌ Ｓｙｓｔｅｍｓの略）の製造時におけるエッチングにも適用できる。また、本発明の方法を応用することにより、ＭＥＭＳを利用した磁気記録ヘッド、圧力センサー、加速度センサー等の既存製品における半導体装置の製造も可能となる。
【００４５】
エッチングを行う際のプラズマ発生装置に関しては、特に限定はないが、例えば、高周波誘導方式及びマイクロ波方式の装置等が好ましく用いられる。
【００４６】
エッチングを行う際の圧力は、異方性エッチングを効率よく行うために、ガス圧力は０．１３３〜１３３Ｐａの圧力で行うことが好ましい。０．１３３Ｐａより低い圧力ではエッチング速度が遅くなり、一方、１３３Ｐａを超える圧力ではレジスト選択比が損なわれることがある。
【００４７】
エッチングを行う際のハイドロフルオロアルキレンオキサイド、及び、添加ガス、及び、不活性ガスそれぞれの体積流量比率は、前述した体積％と同じ比率でもってエッチングを行うことができる。
【００４８】
また、使用するガス流量は、エッチング装置のサイズに依存する為、当業者がその装置に応じて適宜調整することができる。
【００４９】
また、エッチングを行う際の温度は３００℃以下が好ましく、特に異方性エッチングを行うためには２４０℃以下とすることが望ましい。３００℃を超える高温では等方的にエッチングが進行する傾向が強まり、必要とする加工精度が得られないこと、また、レジストが著しくエッチングされるために好ましくない。
【００５０】
エッチング処理を行う反応時間は、特に限定はされないが、概ね５分〜３０分程度である。しかしながらエッチング処理後の経過に依存する為、当業者がエッチングの状況を観察しながら適宜調整するのが良い。
【００５１】
なお、前述した還元性ガス等と混合して使用したり、圧力、流量、温度等を最適化することにより、例えばコンタクトホールの加工時のシリコンとシリコン酸化膜とのエッチング速度の選択性を向上させたりすることができる。
【実施例】
【００５２】
以下、実施例により本発明を詳細に説明するが、本発明はかかる実施例に限定されるものではない。
【００５３】
本発明のドライエッチング剤をコンタクトホール加工に適用し、層間絶縁膜（ＳｉＯ２）または窒化珪素膜をエッチングした例を実施例１〜実施例７に示す。実施例７には、ＣＦ３Ｉを、トランス−１，３，３，３−テトラフルプロピレンオキサイド（ｔ−ＴＦＯと略す）に対して１０％添加してエッチングした例を示す。また、比較例としてパーフルオロカーボンであるＣＦ４やＣ４Ｆ８（オクタフルオロシクロブタン）、Ｃ４Ｆ６（ヘキサフルオロ１，３ブタジエン、ＣＦ２＝ＣＦ−ＣＦ＝ＣＦ２）をそれぞれ使用した場合を比較例１〜比較例８として示す。
【００５４】
本実施例に用いる実験装置の概略図を図１に示す。
【００５５】
チャンバー１１内の上部電極５に接続されたガス導入口１６からプロセスガスを導入後、チャンバー１１内圧力を２Ｐａに設定し、高周波電源１３（１３．５６ＭＨｚ、０．２２Ｗ／ｃｍ２）によりプロセスガスを励起させ生成した活性種を、下部電極１４上に設置した試料１８に対し供給しエッチングを行った。
【００５６】
試料１８としては、単結晶シリコンウェハ上にＳｉＯ２膜または窒化珪素膜を５μｍ成膜し、膜上に線幅０．３μｍの開口部を設けたレジストを塗布したものを用いた。試料１８に対して、Ｃ４Ｆ８、Ｃ４Ｆ６、ＣＦ４、又はｔ−ＴＦＯを用いた表１に記載の組成のプロセスガスにてプロセス圧力２Ｐａにてエッチングを３０分間行った。エッチング処理後、シリコンウェハ断面をＳＥＭ観察することで、エッチング速度、アスペクト比及びサイドエッチ率を評価した。アスペクト比は、図２に示すように、（ｃ／ｂ）×１００で表される。サイドエッチ率Ｒ（％）は、サイドエッチ（側壁の削れ量）と開口部線幅との比率を意味し、具体的には図２に示すように、Ｒ＝（ａ／ｂ）×１００で表わされる。
【００５７】
エッチング試験結果を表１に示す。
【表１】
2018141146.tif 000003
【００５８】
実施例１〜実施例４より、本発明におけるドライエッチング剤は、比較例１〜比較例８に示すＣＦ４、Ｃ４Ｆ８，Ｃ４Ｆ６と比較して、ＳｉＯ２およびＳｉ３Ｎ４に対し高アスペクト比、低サイドエッチ率であり、良好なコンタクトホール加工形状が得られている。また、実施例５に示すように微量の水素を添加することにより、ＳｉＯ２エッチングにおいて、添加しない場合に比べて高いアスペクト比かつ低サイドエッチ率でのエッチングができた。また、実施例７に示すようにＣＦ３Ｉの添加はエッチング速度向上に寄与しており、有用である。
【００５９】
実施例１〜実施例７より、本発明におけるドライエッチング剤は、比較例１〜比較例８の従来知られたＣＦ４、Ｃ４Ｆ８、Ｃ４Ｆ６に比べて、アスペクト比が高く、サイドエッチ率が小さい、良好なコンタクトホール加工形状が得られている。
【産業上の利用可能性】
【００６０】
本発明で対象とするハイドロフルオロアルキレンオキサイドを含む剤は、ドライエッチング剤として利用できる。また、それを用いたエッチング方法は、半導体の製造方法としても利用できる。
【符号の説明】
【００６１】
１０    反応装置
１１    チャンバー
１２    圧力計
１３    高周波電源
１４    下部電極
１５    上部電極
１６    ガス導入口
１７    ガス排出ライン
１８    試料
２４    基板
２５    エッチング対象層
２６    レジスト膜
２７    サイドエッチ
【図１】
2018141146.tif 000004
【図２】
2018141146.tif 000005